(57)【要約】【課題】洗浄力が高く、超濃縮組成の配合においても保存安定性及びカプセル香料等の機能付与成分の分散性に優れ、かつ使用性に優れる液体洗浄剤組成物を提供することを目的とする。【解決手段】（Ａ）成分：特定の化合物から選ばれるノニオン界面活性剤、（Ｂ）成分：特定のメタクリル酸エステルやアクリル酸エステルの共重合体、並びに、（Ｃ）成分：特定の３級アミン型の界面活性剤を含有し、界面活性剤の合計量の割合が２５質量％以上である液体洗浄剤組成物。【選択図】なし【特許請求の範囲】
【請求項１】
（Ａ）成分：下記一般式（Ａ１）で表される化合物及び下記一般式（Ａ２）で表される化合物からなる群から選ばれる１種以上のノニオン界面活性剤、
（Ｂ）成分：下記一般式（ｂ１）で表されるモノマーから誘導された繰り返し単位及び下記一般式（ｂ２）で表されるモノマーから誘導された繰り返し単位を有する共重合体、
並びに、
（Ｃ）成分：下記一般式（Ｃ１）で表される化合物及び下記一般式（Ｃ２）で表される化合物からなる群から選ばれる１種以上の界面活性剤
を含有し、
界面活性剤の合計量の割合が２５質量％以上であることを特徴とする液体洗浄剤組成物。
【化１】
2016199748.tif 000012
（ただし、前記一般式中、Ｒ１は炭素数９〜１３の炭化水素基であり、Ｒ２は炭素数２〜４のアルキレン基であり、Ｒ３は炭素数１〜４のアルキル基である。
ｍは、ＯＲ２の平均繰り返し数であり、５〜２５である。
Ｒ４は炭素数１０〜２２の炭化水素基であり、ＥＯはオキシエチレン基であり、ＰＯはオキシプロピレン基である。
ｓは、ＥＯの平均繰り返し数であり、５〜２０である。
ｔは、ＰＯの平均繰り返し数であり、０〜４である。
Ｒ５は水素原子又はメチル基であり、Ｒ６は水素原子である。
Ｒ７は水素原子又はメチル基であり、Ｒ８は炭素数１〜４０のアルキル基である。
Ｒ９は、炭素数７〜２７の炭化水素基であり、少なくとも１つの水素原子がヒドロキシ基及びアミノ基からなる群から選ばれる１種以上の置換基に置換されていてもよく、炭素鎖中にアミド基、エステル基及びエーテル基からなる群から選ばれる１種以上の連結基を有してもよい基である。
Ｒ１０は、炭素数１〜２５の炭化水素基であり、少なくとも１つの水素原子がヒドロキシ基に置換されていてもよく、炭素鎖中に前記連結基を有してもよい基である。
Ｒ１１は、炭素数１〜４のアルキル基、炭素数１〜４のヒドロキシアルキル基、又はエチレンオキサイド付加モル数１〜２５のポリオキシエチレン基である。
Ｒ１２は、炭素数８〜１８のアルキル基、又は炭素数８〜１８のアルケニル基である。
Ｑは、アミド基、エステル基又はカーボネート基である。
Ｒ１３は炭素数１〜５のアルキレン基であり、Ｒ１４及びＲ１５はそれぞれ独立に炭素数１〜３のアルキル基、又は炭素数１〜３のヒドロキシアルキル基である。
ｐは、０又は１である。）
【請求項２】
さらに、（Ｄ）成分：アニオン界面活性剤、及び（Ｅ）成分：ポリエーテル変性シリコーン化合物を含有する、請求項１に記載の液体洗浄剤組成物。
【請求項３】
前記（Ａ）成分が前記一般式（Ａ１）で表される化合物である、請求項１又は２に記載の液体洗浄剤組成物。
【請求項４】
前記（Ｃ）成分が前記一般式（Ｃ１）で表される化合物である、請求項１〜３のいずれか一項に記載の液体洗浄剤組成物。
【発明の詳細な説明】
【技術分野】
【０００１】
本発明は、液体洗浄剤組成物に関する。
【背景技術】
【０００２】
家庭における衣料用洗剤として、液体洗浄剤組成物が広く用いられている。衣料用洗剤には、衣料等（被洗物）に付着した種々の汚れに対する洗浄力が必要である。例えば、泡立ちが良く洗浄力が高い液体洗浄剤組成物として、界面活性剤とアクリル酸系高分子とを含有する液体洗浄剤組成物が提案されている（特許文献１）。
【０００３】
衣料用洗剤には、洗浄力に加えて、柔軟性、香りの持続性等を付与できることも重要である。例えば、被洗物に付与された香りの持続性を高める方法としては、香料を含むカプセル粒子（カプセル香料）を液体洗浄剤組成物に配合して分散させる方法が知られている。しかし、カプセル粒子等の不溶性の機能付与成分を分散させた液体洗浄剤組成物においては、長期間保存したときに機能付与成分が沈降又は浮遊しやすい。
【０００４】
近年では、界面活性剤の濃度を２５質量％以上とした液体洗浄剤組成物が多く用いられている。特に、界面活性剤濃度が４０質量％以上の超濃縮組成においては、水分量が少ないことで、充分な保存安定性を得ることが難しいうえ、機能付与成分の分散性が低下しやすく、長期保存後に機能付与成分の沈降又は浮遊がより起きやすい。特許文献１の液体洗浄剤組成物においても、特に超濃縮組成の場合にアクリル酸系高分子が膨潤しにくく、充分な保存安定性及び機能付与成分の分散性を得ることが難しくなる。
【０００５】
保存安定性に優れた液体洗浄剤組成物としては、アクリル酸系高分子等の増粘剤に多糖類等の他の高分子を組み合わせた液体洗浄剤組成物が提案されている（特許文献２）。しかし、該液体洗浄剤組成物は高粘度になるため使用性が劣る。
【先行技術文献】
【特許文献】
【０００６】
【特許文献１】特開平１０−１８３１７９号公報
【特許文献２】特表２００８−５１０８６２号公報
【発明の概要】
【発明が解決しようとする課題】
【０００７】
本発明は、洗浄力が高く、超濃縮組成の配合においても保存安定性及びカプセル香料等の機能付与成分の分散性に優れ、かつ使用性に優れる液体洗浄剤組成物を提供することを目的とする。
【課題を解決するための手段】
【０００８】
本発明の液体洗浄剤組成物は、（Ａ）成分：下記一般式（Ａ１）で表される化合物及び下記一般式（Ａ２）で表される化合物からなる群から選ばれる１種以上のノニオン界面活性剤、（Ｂ）成分：下記一般式（ｂ１）で表されるモノマーから誘導された繰り返し単位及び下記一般式（ｂ２）で表されるモノマーから誘導された繰り返し単位を有する共重合体、並びに、（Ｃ）成分：下記一般式（Ｃ１）で表される化合物及び下記一般式（Ｃ２）で表される化合物からなる群から選ばれる１種以上の界面活性剤を含有し、界面活性剤の合計量の割合が２５質量％以上であることを特徴とする。
【０００９】
【化１】
2016199748.tif 000002
【００１０】
（ただし、前記一般式中、Ｒ１は炭素数９〜１３の炭化水素基であり、Ｒ２は炭素数２〜４のアルキレン基であり、Ｒ３は炭素数１〜４のアルキル基である。ｍは、ＯＲ２の平均繰り返し数であり、５〜２５である。Ｒ４は炭素数１０〜２２の炭化水素基であり、ＥＯはオキシエチレン基であり、ＰＯはオキシプロピレン基である。ｓは、ＥＯの平均繰り返し数であり、５〜２０である。ｔは、ＰＯの平均繰り返し数であり、０〜４である。Ｒ５は水素原子又はメチル基であり、Ｒ６は水素原子である。Ｒ７は水素原子又はメチル基であり、Ｒ８は炭素数１〜４０のアルキル基である。Ｒ９は、炭素数７〜２７の炭化水素基であり、少なくとも１つの水素原子がヒドロキシ基及びアミノ基からなる群から選ばれる１種以上の置換基に置換されていてもよく、炭素鎖中にアミド基、エステル基及びエーテル基からなる群から選ばれる１種以上の連結基を有してもよい基である。Ｒ１０は、炭素数１〜２５の炭化水素基であり、少なくとも１つの水素原子がヒドロキシ基に置換されていてもよく、炭素鎖中に前記連結基を有してもよい基である。Ｒ１１は、炭素数１〜４のアルキル基、炭素数１〜４のヒドロキシアルキル基、又はエチレンオキサイド付加モル数１〜２５のポリオキシエチレン基である。Ｒ１２は、炭素数８〜１８のアルキル基、又は炭素数８〜１８のアルケニル基である。Ｑは、アミド基、エステル基又はカーボネート基である。Ｒ１３は炭素数１〜５のアルキレン基であり、Ｒ１４及びＲ１５はそれぞれ独立に炭素数１〜３のアルキル基、又は炭素数１〜３のヒドロキシアルキル基である。ｐは、０又は１である。）
【００１１】
本発明の液体洗浄剤組成物は、さらに、（Ｄ）成分：アニオン界面活性剤、及び（Ｅ）成分：ポリエーテル変性シリコーン化合物を含有することが好ましい。
前記（Ａ）成分は、前記一般式（Ａ１）で表される化合物であることが好ましい。
前記（Ｃ）成分は、前記一般式（Ｃ１）で表される化合物であることが好ましい。
【発明の効果】
【００１２】
本発明の液体洗浄剤組成物は、洗浄力が高く、超濃縮組成の配合においても保存安定性及びカプセル香料等の機能付与成分の分散性に優れ、かつ使用性に優れる。
【発明を実施するための形態】
【００１３】
本発明の液体洗浄剤組成物は、後述する（Ａ）成分、（Ｂ）成分及び（Ｃ）成分を含有する。
【００１４】
［（Ａ）成分］
（Ａ）成分は、下記一般式（Ａ１）で表される化合物及び下記一般式（Ａ２）で表される化合物からなる群から選ばれる１種以上のノニオン界面活性剤である。本発明の液体洗浄剤組成物が（Ａ）成分を含有することで、皮脂汚れに対する良好な洗浄力が付与される。（Ａ）成分は、１種を単独で用いてもよく、２種以上を組み合わせて用いてもよい。
以下、一般式（Ａ１）で表される化合物を化合物（Ａ１）と記し、他の一般式で表される化合物についても同様に記す。
【００１５】
【化２】
2016199748.tif 000003
【００１６】
ただし、式（Ａ１）中、Ｒ１は炭素数９〜１３の炭化水素基であり、Ｒ２は炭素数２〜４のアルキレン基であり、Ｒ３は炭素数１〜４のアルキル基である。ｍは、ＯＲ２の平均繰り返し数であり、５〜２５である。
式（Ａ２）中、Ｒ４は炭素数１０〜２２の炭化水素基であり、ＥＯはオキシエチレン基であり、ＰＯはオキシプロピレン基である。ｓは、ＥＯの平均繰り返し数であり、５〜２０である。ｔは、ＰＯの平均繰り返し数であり、０〜４である。
【００１７】
（化合物（Ａ１））
化合物（Ａ１）におけるＲ１の炭化水素基は、直鎖状であってもよく、分岐鎖状であってもよく、環状構造を含んでいてもよい。Ｒ１としては、脂肪族炭化水素基が好ましく、直鎖状若しくは分岐鎖状のアルキル基、又は直鎖状若しくは分岐鎖状のアルケニル基がより好ましい。
Ｒ１の炭化水素基の炭素数は、９〜１３であり、１０〜１３が好ましく、１１〜１３がより好ましい。炭素数が９以上であれば、洗浄力が高まる。炭素数が１３以下であれば、保存安定性が向上し、特にゲル化が抑制される。
Ｒ１は、原料の脂肪酸（Ｒ１−ＣＯＯＨ）に由来する。
【００１８】
Ｒ２としては、エチレン基又はプロピレン基が好ましい。
ｍ個のＯＲ２は、相互に同じであってもよく異なっていてもよい。すなわち、化合物（Ａ１）の１分子中のアルキレン基は１種であってもよく、２種以上の組み合わせであってもよい。特に、洗浄時の泡立ちがよく、安価であることから、ｍ個のＯＲ２は、全てオキシエチレン基であるか、又はオキシエチレン基とオキシプロピレン基とが混在した基であることが好ましい。
【００１９】
ＯＲ２のアルキレン基が２種類以上の組み合わせである場合、それらのアルキレン基はブロック状に付加していてもよく、ランダム状に付加していてもよい。
ＯＲ２の付加方法としては特に限定されない。例えば、オキシレチレン基とオキシプロピレン基とが混在している場合の付加方法としては、ランダム付加であってもよく、ブロック付加であってもよい。ブロック付加の方法としては、エチレンオキシドを付加した後にプロピレンオキシドを付加する方法、プロピレンオキシドを付加した後にエチレンオキシドを付加する方法、エチレンオキシドを付加した後にプロピレンオキシドを付加し、さらにエチレンオキシドを付加する方法等が挙げられる。
【００２０】
Ｒ３のアルキル基の炭素数は、１〜４であり、１〜３が好ましい。炭素数が１以上であれば、低温保存時の析出が抑制されやすい。炭素数が４以下であれば、低温条件下での液体洗浄剤組成物の水に対する溶解性が向上する。
Ｒ３のアルキル基は、直鎖状であってもよく、分岐鎖状であってもよい。Ｒ３としては、例えば、メチル基、エチル基、ｎ−プロピル基、イソプロピル基、ｎ−ブチル基が挙げられる。中でもメチル基、エチル基が好ましく、メチル基がより好ましい。
【００２１】
ｍは、５〜２５である。ｍが５以上であれば、洗浄力、特に皮脂汚れに対する洗浄力が向上する。ｍが２５以下であれば、液体洗浄剤組成物の水に対する溶解性が向上する。
ｍ個のＯＲ２が全てオキシエチレン基である場合、ｍは５〜２０が好ましく、１２〜１８がより好ましい。
ｍ個のＯＲ２において、オキシエチレン基とオキシプロピレン基とが混在している場合、ｍは１２〜２１が好ましい。この場合、オキシプロピレン基の平均繰り返し数は５以下が好ましく、４以下がより好ましく、３以下がさらに好ましい。オキシプロピレン基の平均繰り返し数が５以下であれば、洗浄力、及び液体洗浄剤組成物の保存安定性（透明均一性、経時安定性等）が低下しにくい。
【００２２】
化合物（Ａ１）は、単一鎖長の化合物のみからなっていてもよく、鎖長の異なる化合物の混合物であってもよい。
【００２３】
化合物（Ａ１）における、下式（Ｉ）で表されるナロー率ＮＡは、２０質量％以上が好ましい。化合物（Ａ１）のナロー率ＮＡはＯＲ２の繰り返し数が異なる化合物（アルキレンオキシド付加体）の分布の割合を示す。ナロー率ＮＡが高いほど良好な洗浄力が得られやすくなる。ナロー率ＮＡの上限値は実質的には８０質量％である。
ナロー率ＮＡは、２０〜５０質量％がより好ましく、保存安定性と水に対する溶解性がより向上することから、３０〜４５質量％がさらに好ましい。ナロー率ＮＡが２０質量％以上、特に３０質量％以上であると、化合物（Ａ１）由来の原料臭気の少ない液体洗浄剤組成物が得られやすくなる。これは、化合物（Ａ１）の製造後に化合物（Ａ１）と共存する、化合物（Ａ１）の原料である脂肪酸エステルと、前記一般式（Ａ１）中のｍが１又は２のアルキレンオキサイド付加体の量が少なくなるためである。
【００２４】
【数１】
2016199748.tif 000004
【００２５】
式（Ｉ）中、ｍｍａｘは、化合物（Ａ１）全体の中に最も多く存在する化合物（アルキレンオキシド付加体）のＯＲ２の繰り返し数を示す。ｉはＯＲ２の繰り返し数を示す。Ｙｉは、化合物（Ａ１）全体の中に存在するＯＲ２の繰り返し数がｉである化合物（アルキレンオキシド付加体）の割合（質量％）を示す。
【００２６】
ナロー率ＮＡは、例えば化合物（Ａ１）の製造方法によって制御できる。
化合物（Ａ１）の製造方法は特に制限されず、例えば、表面改質された複合金属酸化物触媒を用いて、脂肪酸アルキルエステルにアルキレンオキサイドを付加重合させる方法（特開２０００−１４４１７９号公報参照）により容易に製造できる。
【００２７】
かかる表面改質された複合金属酸化物触媒の好適なものとしては、例えば、酸化マグネシウム等に金属イオン（Ａｌ３＋、Ｇａ３＋、Ｉｎ３＋、Ｔｌ３＋、Ｃｏ３＋、Ｓｃ３＋、Ｌａ３＋、Ｍｎ２＋等）が添加された複合金属酸化物が金属水酸化物等により表面改質された複合金属酸化物触媒や、金属水酸化物及び／又は金属アルコキシド等により表面改質されたハイドロタルサイトの焼成物触媒等が挙げられる。
前記複合金属酸化物触媒の表面改質においては、複合金属酸化物１００質量部に対する、金属水酸化物及び／又は金属アルコキシドの混合割合は、０．５〜１０質量部が好ましく、１〜５質量部がより好ましい。
化合物（Ａ１）は、１種を単独で用いてもよく、２種以上を組み合わせて用いてもよい。
【００２８】
（化合物（Ａ２））
化合物（Ａ２）におけるＲ４の炭化水素基は、直鎖状であってもよく、分岐鎖状であってもよく、環状構造を含んでいてもよい。Ｒ４の炭化水素基は、不飽和結合を有していてもよい。Ｒ４としては、脂肪族炭化水素基が好ましく、直鎖状若しくは分岐鎖状のアルキル基、又は直鎖状若しくは分岐鎖状のアルケニル基がより好ましい。
【００２９】
Ｒ４の炭化水素基の炭素数は、１０〜２２であり、１０〜２０が好ましく、１０〜１８がより好ましい。炭素数が１０以上であれば、洗浄力が向上する。炭素数が２２以下であれば、保存安定性が向上し、ゲル化がより抑制される。
【００３０】
Ｒ４は、原料のアルコール（Ｒ４−ＯＨ）に由来する基である。該アルコールとしては、ヤシ油、パーム油、牛脂等の天然油脂由来のアルコール、石油由来の合成アルコール等が挙げられる。
【００３１】
ｓは、５〜２０であり、１２〜１８が好ましく、１２〜１６がより好ましい。ｓが１２以上であれば、化合物（Ａ２）由来の原料臭気が少ない液体洗浄剤組成物が得られやすくなる。ｓが２０以下であれば、ＨＬＢ値が高くなりすぎることを抑制でき、皮脂汚れに対する洗浄力を良好に維持できる。特にｓが１２〜１６であれば、皮脂汚れに対して高い洗浄力を示す。
ｔは、０〜３が好ましく、０が特に好ましい。ｔが前記範囲内にあれば、液体洗浄剤組成物のゲル化が抑制されやすく、また、すすぎ時に良好な泡切れ性が得られやすい。
【００３２】
化合物（Ａ２）においては、ＥＯとＰＯとはブロック状に付加していてもよく、ランダム状に付加していてもよい。
ＥＯとＰＯとがブロック状に付加している場合の付加方法としては、エチレンオキシドを付加した後にプロピレンオキシドを付加する方法、プロピレンオキシドを付加した後にエチレンオキシドを付加する方法、エチレンオキシドを付加した後にプロピレンオキシドを付加してさらにエチレンオキシドを付加する方法等が挙げられる。特に、全自動洗濯機での洗濯におけるすすぎ性がより良好なことから、エチレンオキシドを付加した後にプロピレンオキシドを付加してさらにエチレンオキシドを付加する方法（末端が−Ｏ−ＣＨ２ＣＨ２Ｏ−Ｈとなること）が好ましい。
【００３３】
化合物（Ａ２）におけるＥＯの付加モル数分布は特に限定されない。該付加モル数分布は、化合物（Ａ２）の製造方法等によって制御できる。
例えば、水酸化ナトリウムや水酸化カリウム等の一般的なアルカリ触媒を用いてＥＯを疎水性原料に付加させた場合には、比較的広い付加モル数分布となる傾向にある。酸化マグネシウム等に金属イオン（Ａｌ３＋、Ｇａ３＋、Ｉｎ３＋、Ｔｌ３＋、Ｃｏ３＋、Ｓｃ３＋、Ｌａ３＋、Ｍｎ２＋等）を添加した特定のアルコキシル化触媒を用いて、ＥＯを疎水性原料に付加させた場合（特公平６−１５０３８号公報）には、比較的狭い付加モル数分布となる傾向にある。
【００３４】
化合物（Ａ２）の具体例としては、例えば、以下の化合物が挙げられる。
・Ｓｈｅｌｌ製：商品名Ｎｅｏｄｏｌ（炭素数１２のアルコールと炭素数１３のアルコールの混合物）、Ｓａｓｏｌ製：Ｓａｆｏｌ２３（炭素数１２のアルコールと炭素数１３のアルコールの混合物）等のアルコールに対して、１２モル又は１５モル相当のＥＯを付加した化合物。
・Ｐ＆Ｇ社製：商品名ＣＯ−１２１４やＣＯ−１２７０等の天然アルコールに９モル、１２モル又は１５モル相当のＥＯを付加した化合物。
・炭素数１２〜１４の第２級アルコールに９モル、１２モル又は１５モル相当のＥＯを付加した化合物（日本触媒社製、ソフタノール９０、ソフタノール１２０、ソフタノール１５０）。
【００３５】
化合物（Ａ２）は、単一鎖長の化合物のみからなっていてもよく、鎖長の異なる化合物の混合物であってもよい。
化合物（Ａ２）は、１種を単独で用いてもよく、２種以上を組み合わせて用いてもよい。
【００３６】
（Ａ）成分としては、化合物（Ａ１）を単独で用いてもよく、化合物（Ａ２）を単独で用いてもよく、化合物（Ａ１）と化合物（Ａ２）を組み合わせて用いてもよい。
（Ａ）成分としては、化合物（Ａ１）を用いることが好ましく、化合物（Ａ１）のみを用いることがより好ましい。
【００３７】
［（Ｂ）成分］
（Ｂ）成分は、下記一般式（ｂ１）で表されるモノマーから誘導された繰り返し単位及び下記一般式（ｂ２）で表されるモノマーから誘導された繰り返し単位を有する共重合体である。（Ｂ）成分は、１種を単独で用いてもよく、２種以上を組み合わせて用いてもよい。
以下、一般式（ｂ１）で表されるモノマーをモノマー（ｂ１）と記し、他の一般式で表されるモノマーも同様に記す。
【００３８】
【化３】
2016199748.tif 000005
【００３９】
ただし、式（ｂ１）中、Ｒ５は水素原子又はメチル基であり、Ｒ６は水素原子である。式（ｂ２）中、Ｒ７は水素原子又はメチル基であり、Ｒ８は炭素数１〜４０のアルキル基である。
【００４０】
（モノマー（ｂ１））
モノマー（ｂ１）としては、アクリル酸、メタクリル酸が挙げられる。
（Ｂ）成分において、モノマー（ｂ１）は、１種を単独で用いてもよく、２種を組み合わせて用いてもよい。
【００４１】
（モノマー（ｂ２））
Ｒ８のアルキル基は、直鎖状であってもよく、分岐鎖状であってもよく、環状構造を含んでいてもよい。
Ｒ８のアルキル基の炭素数は、１〜４０であり、１〜２０が好ましく、１〜１０がより好ましい。
【００４２】
モノマー（ｂ２）としては、例えば、アクリル酸メチル、アクリル酸エチル、アクリル酸ｎ−プロピル、アクリル酸ｎ−ブチル、アクリル酸オクチル、アクリル酸デシル、アクリル酸ドデシル、アクリル酸イコシル等のアクリル酸エステル；メタクリル酸メチル、メタクリル酸エチル、メタクリル酸ｎ−プロピル、メタクリル酸ｎ−ブチル、メタクリル酸デシル、メタクリル酸ドデシル、メタクリル酸イコシル等のメタクリル酸エステルが挙げられる。
モノマー（ｂ２）としては、アクリル酸エステルが好ましい。
（Ｂ）成分において、モノマー（ｂ２）は、１種を単独で用いてもよく、２種以上を組み合わせて用いてもよい。
【００４３】
（Ｂ）成分は、架橋されているものが好ましい。なお、（Ｂ）成分は架橋されていないものでもよい。
（Ｂ）成分である架橋されている共重合体としては、例えば、架橋剤により架橋されているもの（高分子架橋体）が挙げられる。
前記架橋剤としては、例えば、アリルエーテル化合物が挙げられる。
【００４４】
アリルエーテル化合物としては、アリルエーテル、糖のアリルエーテル、糖アルコールのアリルエーテル等が挙げられる。
糖のアリルエーテルにおける糖としては、例えば、スクロース等が挙げられる。
糖アルコールのアリルエーテルにおける糖アルコールとしては、例えば、ペンタエリスリトール等が挙げられる。
【００４５】
（Ｂ）成分の市販品としては、例えば、以下のものが挙げられる。
架橋タイプの（Ｂ）成分の市販品としては、例えばＬｕｂｒｉｚｏｌ社製のアクリル酸アルキル、メタクリル酸アルキル、アクリル酸及びメタクリル酸から選ばれる２種類以上のモノマーからなる架橋型共重合体である商品名「Ｃａｒｂｏｐｏｌ  Ａｑｕａ３０」、Ｌｕｂｒｉｚｏｌ社製のアクリル酸アルキル（Ｃ１〜Ｃ４及びＣ８）、メタクリル酸アルキル（Ｃ１〜Ｃ４及びＣ８）、アクリル酸及びメタクリル酸から選ばれる２種類以上のモノマーからなる架橋型共重合体である「Ｃａｒｂｏｐｏｌ  Ａｑｕａ  ＳＦ−１」、Ｌｕｂｒｉｚｏｌ社製のアクリル酸アルキル（Ｃ１０〜３０）、メタクリル酸アルキル（Ｃ１０〜３０）及びアクリル酸から選ばれる２種類以上のモノマーからなる架橋型共重合体である商品名「Ｃａｒｂｏｐｏｌ  ＥＺ−４」、ＤＯＷ社製のアクリル酸アルキルとアクリル酸又はメタクリル酸のモノマーからなる架橋型共重合体である商品名「ＡＣＵＳＯＬ  ８３０」等が挙げられる。
非架橋タイプの（Ｂ）成分としては、例えばＬｕｂｒｉｚｏｌ社製のアクリル酸アルキル、メタクリル酸アルキル、アクリル酸及びメタクリル酸から選ばれる２種類以上のモノマーからなる共重合体である商品名「Ｎｏｖｅｔｈｉｘ  ＨＣ２００」等が挙げられる。
【００４６】
［（Ｃ）成分］
（Ｃ）成分は、下記化合物（Ｃ１）及び下記化合物（Ｃ２）からなる群から選ばれる１種以上の界面活性剤、いわゆる３級アミン型の界面活性剤である。本発明の液体洗浄剤組成物が（Ｃ）成分を含有することで、界面活性剤の割合が４０質量％以上の超濃縮組成においてもチキソトロピーインデックス（ＴＩ値）が充分に高くなる。（Ｃ）成分は、１種を単独で用いてもよく、２種以上を組み合わせて用いてもよい。
（Ｃ）成分としては、化合物（Ｃ１）を用いることが好ましく、化合物（Ｃ１）のみを用いることがより好ましい。
【００４７】
【化４】
2016199748.tif 000006
【００４８】
ただし、式（Ｃ１）中、Ｒ９は、炭素数７〜２７の炭化水素基であり、少なくとも１つの水素原子がヒドロキシ基及びアミノ基からなる群から選ばれる１種以上の置換基に置換されていてもよく、炭素鎖中にアミド基、エステル基及びエーテル基からなる群から選ばれる１種以上の連結基を有してもよい基である。Ｒ１０は、炭素数１〜２５の炭化水素基であり、少なくとも１つの水素原子がヒドロキシ基に置換されていてもよく、炭素鎖中に前記連結基を有してもよい基である。Ｒ１１は、炭素数１〜４のアルキル基、炭素数１〜４のヒドロキシアルキル基、又はエチレンオキサイド付加モル数１〜２５のポリオキシエチレン基である。
式（Ｃ２）中、Ｒ１２は、炭素数８〜１８のアルキル基、又は炭素数８〜１８のアルケニル基である。Ｑは、アミド基、エステル基又はカーボネート基である。Ｒ１３は炭素数１〜５のアルキレン基であり、Ｒ１４及びＲ１５はそれぞれ独立に炭素数１〜３のアルキル基、又は炭素数１〜３のヒドロキシアルキル基である。ｐは、０又は１である。
【００４９】
（化合物（Ｃ１））
化合物（Ｃ１）のＲ９の炭化水素基は、直鎖状であってもよく、分岐鎖状であってもよい。Ｒ９の炭化水素基は、不飽和結合を有していてもよい。
Ｒ９の炭化水素基の炭素数は、７〜２７であり、７〜２５が好ましい。ただし、置換基や連結基の炭素数は、炭化水素基の炭素数には含まれないものとする。
Ｒ９の炭化水素基が連結基を有する場合、該連結基としては、アミド基、エステル基が好ましい。
【００５０】
Ｒ９としては、−Ｒ９１−Ｗ（式中、Ｒ９１は炭素数１〜４のアルキレン基であり、Ｗは−ＮＨＣＯ−Ｒ９２又は−ＯＯＣ−Ｒ９３であり、Ｒ９２は炭素数７〜２３の炭化水素基であり、Ｒ９３は炭素数１１〜２３の炭化水素基である。）が好ましい。
Ｒ９２及びＲ９３の炭化水素基は、直鎖状であってもよく、分岐鎖状であってもよい。Ｒ９２及びＲ９３の炭化水素基は、不飽和結合を有していてもよい。Ｒ９２の炭化水素基の炭素数は、７〜２１が好ましい。Ｒ９３の炭化水素基の炭素数は、１２〜２０が好ましい。
【００５１】
Ｒ１０の炭化水素基は、直鎖状であってもよく、分岐鎖状であってもよい。Ｒ１０の炭化水素基は、不飽和結合を有していてもよい。
Ｒ１０の炭化水素基の炭素数は、１〜４が好ましい。ただし、置換基や連結基の炭素数は、炭化水素基の炭素数には含まれないものとする。
Ｒ１０としては、直鎖状又は分岐鎖状の炭素数１〜４のアルキル基、直鎖状又は分岐鎖状の炭素数１〜４のヒドロキシアルキル基が好ましい。
【００５２】
Ｒ１１のアルキル基、ヒドロキシアルキル基及びポリオキシエチレン基は、直鎖状であってもよく、分岐鎖状であってもよい。
Ｒ１１としては、直鎖状又は分岐鎖状の炭素数１〜４のアルキル基、直鎖状又は分岐鎖状の炭素数１〜４のヒドロキシアルキル基が好ましい。
【００５３】
化合物（Ｃ１）としては、下記化合物（Ｃ１１）、化合物（Ｃ１２）が好ましい。
【００５４】
【化５】
2016199748.tif 000007
【００５５】
ただし、式（Ｃ１１）及び式（Ｃ１２）におけるＲ９１〜Ｒ９３は、式（Ｃ１）で説明したものと同じである。Ｒ１０１及びＲ１１１は、それぞれ独立して直鎖状若しくは分岐鎖状の炭素数１〜４のアルキル基、又は、直鎖状若しくは分岐鎖状の炭素数１〜４のヒドロキシアルキル基である。
化合物（Ｃ１１）及び化合物（Ｃ１２）におけるＲ９１、Ｒ１０１及びＲ１１１は、同じであってもよく、異なっていてもよい。
【００５６】
＜化合物（Ｃ１１）＞
化合物（Ｃ１１）としては、例えば、カプリル酸ジメチルアミノプロピルアミド、カプリン酸ジメチルアミノプロピルアミド、ラウリン酸ジメチルアミノプロピルアミド、ミリスチン酸ジメチルアミノプロピルアミド、パルミチン酸ジメチルアミノプロピルアミド、ステアリン酸ジメチルアミノプロピルアミド、ベヘニン酸ジメチルアミノプロピルアミド、オレイン酸ジメチルアミノプロピルアミド等の長鎖脂肪族アミドジアルキル３級アミン；パルミチン酸ジエタノールアミノプロピルアミド、ステアリン酸ジエタノールアミノプロピルアミド等の長鎖脂肪族アミドジアルカノール３級アミン等が挙げられる。
化合物（Ｃ１１）は、１種を単独で用いてもよく、２種以上を組み合わせて用いてもよい。
【００５７】
化合物（Ｃ１１）としては、合成したものを用いてもよく、市販品を用いてもよい。長鎖脂肪族アミドジアルキル３級アミン及び長鎖脂肪族アミドジアルカノール３級アミンは、例えば、以下の方法で合成できる。
脂肪酸又は脂肪酸誘導体（脂肪酸低級アルキルエステル若しくは動・植物性油脂等）と、ジアルキル（又はアルカノール）アミノアルキルアミンとを縮合反応させる。次いで、未反応のジアルキル（又はアルカノール）アミノアルキルアミンを減圧又は窒素ブローにて留去する。
【００５８】
脂肪酸又は脂肪酸誘導体としては、カプリル酸、カプリン酸、ラウリン酸、ミリスチン酸、パルミチン酸、ステアリン酸、オレイン酸、ベヘニン酸、エルカ酸、１２−ヒドロキシステアリン酸、ヤシ油脂肪酸、綿実油脂肪酸、とうもろこし油脂肪酸、牛脂脂肪酸、パーム核油脂肪酸、大豆油脂肪酸、アマニ油脂肪酸、ひまし油脂肪酸、オリーブ油脂肪酸等の植物油又は動物油脂肪酸や、これらのメチルエステル、エチルエステル、グリセライド等が挙げられる。中でも、カプリル酸、カプリン酸、ラウリン酸、ミリスチン酸、パルミチン酸、ステアリン酸、オレイン酸、ベヘニン酸が好ましい。これらの脂肪酸及び脂肪酸誘導体は、１種を単独で用いてもよく、２種以上を組み合わせて用いてもよい。
【００５９】
ジアルキル（又はアルカノール）アミノアルキルアミンとしては、ジメチルアミノプロピルアミン、ジメチルアミノエチルアミン、ジエチルアミノプロピルアミン、ジエチルアミノエチルアミン等が挙げられる。中でも、ジメチルアミノプロピルアミンが好ましい。
【００６０】
ジアルキル（又はアルカノール）アミノアルキルアミンの使用量は、脂肪酸又は脂肪酸誘導体に対して、０．９〜２．０倍モルが好ましく、１．０〜１．５倍モルがより好ましい。
【００６１】
反応温度は、１００〜２２０℃が好ましく、１５０〜２００℃がより好ましい。反応温度が１００℃以上であれば、反応速度を適度に保ちやすい。反応温度が２２０℃以下であれば、得られる３級アミン化合物の着色を予防又は低減できる。
【００６２】
＜化合物（Ｃ１２）＞
化合物（Ｃ１２）としては、例えば、パルミテートエステルプロピルジメチルアミン、ステアレートエステルプロピルジメチルアミン等の脂肪族エステルジアルキル３級アミン等が挙げられる。
化合物（Ｃ１２）は、１種を単独で用いてもよく、２種以上を組み合わせて用いてもよい。
【００６３】
化合物（Ｃ１２）としては、合成したものを用いてもよく、市販品を用いてもよい。脂肪族エステルジアルキル３級アミンは、例えば、以下の方法で合成できる。
脂肪酸又は脂肪酸誘導体（脂肪酸低級アルキルエステル若しくは動・植物性油脂等）と、ジアルキルアミノアルコールとを縮合反応させる。次いで、未反応のジアルキルアミノアルコールを減圧又は窒素ブローにて留去する。
【００６４】
脂肪族エステルジアルキル３級アミンの合成に用いる脂肪酸又は脂肪酸誘導体としては、例えば、長鎖脂肪族アミドジアルキル３級アミン及び長鎖脂肪族アミドジアルカノール３級アミンの合成で挙げたものと同じものが挙げられる。
ジアルキルアミノアルコールとしては、例えば、ジステアリルアミノアルコール、ジミリスチルアミノアルコール、ジオレイルアミノアルコールが挙げられる。
【００６５】
ジアルキルアミノアルコールの使用量は、脂肪酸又は脂肪酸誘導体に対して、０．１〜５．０倍モルが好ましく、０．３〜３．０倍モルがより好ましく、０．９〜２．０倍モルがさらに好ましく、１．０〜１．５倍モルが特に好ましい。
【００６６】
反応温度は、１００〜２２０℃が好ましく、１２０〜１８０℃がより好ましい。反応温度が前記範囲内であれば、適切な反応速度を維持しつつ、生成物である３級アミンの着色を抑制できる。
【００６７】
＜化合物（Ｃ１３）＞
化合物（Ｃ１）としては、化合物（Ｃ１１）及び化合物（Ｃ１２）以外の化合物（Ｃ１３）を用いてもよい。
化合物（Ｃ１３）としては、例えば、ラウリルジメチルアミン、ミリスチルジメチルアミン、ヤシアルキルジメチルアミン、パルミチルジメチルアミン、牛脂アルキルジメチルアミン、硬化牛脂アルキルジメチルアミン、ステアリルジメチルアミン、ステアリルジエタノールアミン、ポリオキシエチレン硬化牛脂アルキルアミン（ライオンアクゾ社製、商品名：ＥＴＨＯＭＥＥＮ  ＨＴ／１４等）等が挙げられる。
化合物（Ｃ１３）は、１種を単独で用いてもよく、２種以上を組み合わせて用いてもよい。
【００６８】
化合物（Ｃ１）は、１種を単独で用いてもよく、２種以上を組み合わせて用いてもよい。
化合物（Ｃ１）としては、化合物（Ｃ１１）を単独で用いてもよく、化合物（Ｃ１２）を単独で用いてもよく、化合物（Ｃ１３）を単独で用いてもよく、化合物（Ｃ１１）、化合物（Ｃ１２）及び化合物（Ｃ１３）のうち２種以上を組み合わせて用いてもよい。
【００６９】
化合物（Ｃ１）としては、化合物（Ｃ１１）がより好ましく、パルミチン酸アミドプロピルジメチルアミンとステアリン酸アミドプロピルジメチルアミンとを併用することが特に好ましい。この場合、パルミチン酸アミドプロピルジメチルアミンとステアリン酸アミドプロピルジメチルアミンとの質量比は、１０：９０〜５０：５０が好ましく、２０：８０〜４０：６０がより好ましい。前記質量比が前記範囲内であれば、安定性に優れ、かつ残香性向上効果が高い液体洗浄剤組成物が得られやすい。
【００７０】
（化合物（Ｃ２））
化合物（Ｃ２）は、アミンオキシド型の界面活性剤である。
化合物（Ｃ２）におけるＲ１２のアルキル基及びアルケニル基は、直鎖状であってもよく、分岐鎖状であってもよい。
Ｒ１２としては、直鎖状又は分岐鎖状の炭素数８〜１８のアルキル基が好ましく、直鎖状又は分岐鎖状の炭素数１０〜１４のアルキル基がより好ましい。
【００７１】
Ｑとしては、−ＣＯＮＨ−又は−ＮＨＣＯ−が好ましく、−ＣＯＮＨ−がより好ましい。
Ｒ１３としては、炭素数１〜３のアルキレン基が好ましく、プロピレン基がより好ましい。
Ｒ１４及びＲ１５としては、それぞれ独立して炭素数１〜３のアルキレン基が好ましく、メチル基が好ましい。化合物（Ｃ２）においては、Ｒ１４及びＲ１５の両方がメチル基であることが好ましい。
ｐは、１が好ましい。
【００７２】
化合物（Ｃ２）としては、下記化合物（Ｃ２１）、化合物（Ｃ２２）が好ましい。
【００７３】
【化６】
2016199748.tif 000008
【００７４】
ただし、式（Ｃ２１）及び式（Ｃ２２）におけるＲ１２、Ｒ１４及びＲ１５は、式（Ｃ２）で説明したものと同じである。ｑは、ＣＨ２の平均繰り返し数であり、１〜５である。
【００７５】
＜化合物（Ｃ２１）＞
化合物（Ｃ２１）としては、例えば、カプリルジメチルアミンオキシド、ラウリルジメチルアミンオキシド、ミリスチルジメチルアミンオキシド、パルミチルジメチルアミンオキシド、ステアリルジメチルアミンオキシド、オレイルジメチルアミンオキシド、ヤシアルキルジメチルアミンオキシド、ラウリルジエチルアミンオキシド等が挙げられる。
化合物（Ｃ２１）は、１種を単独で用いてもよく、２種以上を組み合わせて用いてもよい。
【００７６】
＜化合物（Ｃ２２）＞
化合物（Ｃ２２）におけるｑは、１〜３が好ましく、３がより好ましい。
化合物（Ｃ２２）としては、例えば、カプリル酸アミドプロピルジメチルアミンオキシド、ラウリン酸アミドプロピルジメチルアミンオキシド、ミリスチン酸アミドプロピルジメチルアミンオキシド、パルミチン酸アミドプロピルジメチルアミンオキシド、ステアリン酸アミドプロピルジメチルアミンオキシド、ベヘニン酸アミドプロピルジメチルアミンオキシド、オレイン酸アミドプロピルジメチルアミンオキシド、ヤシ脂肪酸アミドプロピルジメチルアミンオキシド等が挙げられる。
化合物（Ｃ２２）は、１種を単独で用いてもよく、２種以上を組み合わせて用いてもよい。
【００７７】
化合物（Ｃ２）は、１種を単独で用いてもよく、２種以上を組み合わせて用いてもよい。
化合物（Ｃ２）としては、化合物（Ｃ２１）を単独で用いてもよく、化合物（Ｃ２２）を単独で用いてもよく、化合物（Ｃ２１）及び化合物（Ｃ２２）を組み合わせて用いてもよい。
【００７８】
［（Ｄ）成分］
本発明の液体洗浄剤組成物は、（Ａ）〜（Ｃ）成分に加えて、（Ｄ）成分：アニオン界面活性剤を含有することが好ましい。本発明の液体洗浄剤組成物が（Ｄ）成分を含有することで、洗浄性能が向上するうえ、被洗物にからっと乾燥した触感を与えやすくなる。
（Ｄ）成分は、１種を単独で用いてもよく、２種以上を組み合わせて用いてもよい。
【００７９】
アニオン界面活性剤としては、特に限定されず、公知のものを用いることができる。具体的には、例えば、直鎖アルキルベンゼンスルホン酸又はその塩；α−オレフィンスルホン酸塩；直鎖又は分岐鎖のアルキル硫酸エステル塩；アルキルエーテル硫酸エステル塩又はアルケニルエーテル硫酸エステル塩；アルキル基を有するアルカンスルホン酸塩；α−スルホ脂肪酸エステル塩等が挙げられる。
これらの塩としては、ナトリウム塩、カリウム塩等のアルカリ金属塩、マグネシウム塩等のアルカリ土類金属塩、モノエタノールアミン塩、ジエタノールアミン塩等のアルカノールアミン塩等が挙げられる。
【００８０】
直鎖アルキルベンゼンスルホン酸又はその塩としては、直鎖アルキル基の炭素数が８〜１６のものが好ましく、炭素数１０〜１４のものが特に好ましい。
α−オレフィンスルホン酸塩としては、炭素数１０〜２０のものが好ましい。
アルキル硫酸エステル塩としては、炭素数１０〜２０のものが好ましい。
アルキルエーテル硫酸エステル塩又はアルケニルエーテル硫酸エステル塩としては、直鎖状若しくは分岐鎖状の炭素数１０〜２０のアルキル基又はアルケニル基を有し、平均１〜１０モルの酸化エチレンが付加されたもの（すなわち、ポリオキシエチレンアルキルエーテル硫酸エステル塩又はポリオキシエチレンアルケニルエーテル硫酸エステル塩）が好ましい。
アルカンスルホン酸塩としては、炭素数が１０〜２０の２級アルカンスルホン酸塩が好ましく、炭素数が１４〜１７である２級アルカンスルホン酸塩がより好ましい。
α−スルホ脂肪酸エステル塩としては、炭素数１０〜２０のものが好ましい。
【００８１】
（Ｄ）成分のアニオン界面活性剤としては、高級脂肪酸塩、アルキルエーテルカルボン酸塩、ポリオキシアルキレンエーテルカルボン酸塩、アルキル（又はアルケニル）アミドエーテルカルボン酸塩、アシルアミノカルボン酸塩等のカルボン酸型アニオン界面活性剤；アルキルリン酸エステル塩、ポリオキシアルキレンアルキルリン酸エステル塩、ポリオキシアルキレンアルキルフェニルリン酸エステル塩、グリセリン脂肪酸エステルモノリン酸エステル塩等のリン酸エステル型アニオン界面活性剤等を用いてもよい。
これらの塩としては、ナトリウム塩、カリウム塩等のアルカリ金属塩；マグネシウム塩等のアルカリ土類金属塩；モノエタノールアミン塩、ジエタノールアミン塩等のアルカノールアミン塩等が挙げられる。
【００８２】
（Ｄ）成分は、合成したものを用いてもよく、市販品を用いてもよい。
（Ｄ）成分としては、直鎖アルキルベンゼンスルホン酸又はその塩、アルカンスルホン酸塩、ポリオキシエチレンアルキルエーテル硫酸塩、α−オレフィンスルホン酸塩及び高級脂肪酸塩からなる群から選ばれる１種以上のアニオン界面活性剤が好ましい。
【００８３】
［（Ｅ）成分］
本発明の液体洗浄剤組成物は、（Ａ）〜（Ｃ）成分に加えて、（Ｅ）成分：ポリエーテル変性シリコーン化合物（以下、「ＰＥ変性シリコーン」と記す。）を含有することが好ましい。本発明の液体洗浄剤組成物が（Ｅ）成分を含有することで、優れたすすぎ性が得られやすくなる。
（Ｅ）成分は、１種を単独で用いてもよく、２種以上を組み合わせて用いてもよい。
【００８４】
ＰＥ変性シリコーンとしては、官能基としてポリエチレンオキシド、ポリプロピレンオキシド等のポリエーテル基を有しているものであれば、特に限定されない。ＰＥ変性シリコーンは、ポリエーテル基以外の他の官能基が導入されていてもよい。
【００８５】
ＰＥ変性シリコーンの市販品としては、例えば、以下のものが挙げられる。
・東レ・ダウコーニング社製のＳＨ３７７２Ｍ、ＳＨ３７７５Ｍ、ＳＨ３７４９、ＳＦ８４１０、ＳＨ８７００、ＢＹ２２−００８、ＳＦ８４２１、ＳＩＬＷＥＴ  Ｌ−７００１、ＳＩＬＷＥＴ  Ｌ−７００２、ＳＩＬＷＥＴ  Ｌ−７６０２、ＳＩＬＷＥＴ  Ｌ−７６０４、ＳＩＬＷＥＴ  ＦＺ−２１０４、ＳＩＬＷＥＴ  ＦＺ−２１６４、ＳＩＬＷＥＴ  ＦＺ−２１７１、ＡＢＮ  ＳＩＬＷＥＴ  ＦＺ−Ｆ１−００９、ＡＢＮ  ＳＩＬＷＥＴ  ＦＺ−Ｆ１−００９−０５、ＡＢＮ  ＳＩＬＷＥＴ  ＦＺ−Ｆ１−００９−０９、ＡＢＮ  ＳＩＬＷＥＴ  ＦＺ−Ｆ１−００９−５４、ＡＢＮ  ＳＩＬＷＥＴ  ＦＺ−２２２２。
・信越化学工業社製のＫＦ３５２Ａ、ＫＦ６００８、ＫＦ６１５Ａ、ＫＦ６０１６、ＫＦ６０１７。
・ＧＥ東芝シリコーン社製のＴＳＦ４４５０、ＴＳＦ４４５２。
【００８６】
［溶媒］
本発明の液体洗浄剤組成物は、製造時のハンドリングのしやすさ、使用する際の水への溶解性等の観点から、溶媒として水を含有することが好ましい。
【００８７】
本発明の液体洗浄剤組成物は、溶剤を含有してもよい。
溶剤としては、従来から液体洗浄剤等に配合される溶剤を用いることができる。具体的には、例えば、炭素数２〜４の１価アルコール、炭素数２〜４の多価アルコール、又はグリコールエーテル系溶剤が挙げられる。
【００８８】
炭素数２〜４の１価アルコールとしては、例えば、エタノール、１−プロパノール、２−プロパノール、１−ブタノール等が挙げられる。
炭素数２〜４の多価アルコールとしては、例えば、エチレングリコール、プロピレングリコール、ブチレングリコール、グリセリン等が挙げられる。
【００８９】
グリコールエーテル系溶剤としては、一般式：Ｒ１６−（ＯＲ１７）ｕＯＨ（ただし、式中、Ｒ１６は、炭素数１〜６のアルキル基又はフェニル基である。Ｒ１７は、炭素数２〜４のアルキレン基である。ｕは、ＯＲ１７の平均繰り返し数を示し、１〜５である。）で表される化合物が好ましい。具体的には、例えば、エチレングリコールモノブチルエーテル、エチレングリコールモノヘキシルエーテル、エチレングリコールモノフェニルエーテル、プロピレングリコールモノフェニルエーテル、ジエチレングリコールモノメチルエーテル、ジエチレングリコールモノブチルエーテル等が挙げられる。
【００９０】
溶剤としては、液体洗浄剤組成物の流動性、臭気の低減、原料の入手のしやすさの点から、エタノール、プロピレングリコール、ジエチレングリコールモノブチルエーテルが好ましい。
溶剤は、１種を単独で用いてもよく、２種以上を組み合わせて用いてもよい。
【００９１】
［他の成分］
本発明の液体洗浄剤組成物には、本発明の効果を損なわない範囲内であれば、必要に応じて、（Ａ）〜（Ｅ）成分及び溶媒以外の他の成分として、液体洗浄剤に通常用いられる成分を配合してもよい。
他の成分としては、例えば、酵素、ハイドロトロープ剤（ポリエチレングリコール、芳香族スルホン酸又はその塩等）、洗浄性ビルダー、安定化剤、アルカリ剤（モノエタノールアミン、ジエタノールアミン、トリエタノールアミン等のアルカノールアミン等）、金属イオン捕捉剤、シリコーン等の風合い向上剤、防腐剤、蛍光剤、移染防止剤、パール剤、酸化防止剤、着色剤として汎用の色素又は顔料、乳濁化剤、香料、ｐＨ調整剤等が挙げられる。
【００９２】
本発明の液体洗浄剤組成物には、液体洗浄剤組成物を構成する成分に溶けにくい粒子（水溶性粒子、水不溶性粒子）を含有してもよい。該粒子は、１種を単独で用いてもよく、２種以上を組み合わせて用いてもよい。
該粒子の具体例としては、例えば、カプセル香料やそれに代わる有効成分を含有する包剤、特有の審美性を付与するためのビーズや真珠光沢剤、ベントナイト、カルボキシメチルセルロース（ＣＭＣ）等が挙げられる。
【００９３】
カプセル香料は、高分子化合物で形成されたカプセル壁によって香料成分が内包されたものである。
カプセル壁を形成する高分子化合物としては、例えば、ポリアクリル酸系、ポリビニル系、ポリメタクリル酸系、メラミン系、ウレタン系等の合成高分子が挙げられる。これらは、１種を単独で用いてもよく、２種以上を組み合わせて用いてもよい。
【００９４】
カプセル香料の具体例としては、例えば、以下のカプセル香料Ａ〜Ｃが挙げられる。
（カプセル香料Ａ）
カプセル香料Ａは、以下の香料成分を含む。
トリプラール（２．３６質量％）、シクラセット（１０．８３質量％）、トリシクロデセニルプロピオネート（１０．０４質量％）、イソプロピルメチル−２−ブチレート（１．７２質量％）、マンザネート（２．０７質量％）、ベルドックス（１３．５８質量％）、アリルアミルグリコレート（２．２３質量％）、アリルシクロヘキシルプロピオネート（５．４５質量％）、γ−デカラクトン（０．５８質量％）、γ−ウンデカラクトン（７．６８質量％）、α−ダマスコン（０．２５質量％）、ネロール（０．１５質量％）、ヘディオン（５．１４質量％）、リリアール（１２．２２質量％）、リナロール（２３．１８質量％）、ｐ−ｔ−ブチルシクロヘキシルアセテート（０．１６質量％）、バニリン（０．０３質量％）、ライムオキサイド（２．３３質量％）。
【００９５】
（カプセル香料Ｂ）
カプセル香料Ｂは、以下の香料成分を含む。
トリプラール（６．２５質量％）、オリボン（１．７０質量％）、ガルバスコン（０．６２質量％）、フォリオン（０．３９質量％）、イソボルニルアセテート（２３．５０質量％）、イソボルネオール（０．１４質量％）、マンザネート（３．０２質量％）、ベルドックス（２８．８０質量％）、エチル２−メチルブチレート（５．４６質量％）、ネクタリル（３．２０質量％）、α−ダマスコン（２．０４質量％）、ジメチルベンジルカルビニルアセテート（９．９９質量％）、デュピカル（０．５７質量％）、アルデヒドＣ−１２ＭＮＡ（５．３０質量％）、ピノアセトアルデヒド（０．５２質量％）、エチルラウレート（８．２６質量％）、ジブチルヒドロキシトルエン（０．２４質量％）。
【００９６】
（カプセル香料Ｃ）
カプセル香料Ｃは、以下の香料成分を含む。
ヘキシルサリチレート（３．７１質量％）、エチル２−メチルブチレート（３．３０質量％）、ジヒドロオイゲノール（８．４９質量％）、カンファー（１．４６質量％）、１，４−シネオール（１．２８質量％）、ベルドックス（９．０４質量％）、γ−ノナラクトン（０．８４質量％）、γ−デカラクトン（２．５８質量％）、γ−ウンデカラクトン（３．７０質量％）、アリルカプロエート（７．４７質量％）、ヘキシルアセテート（１．２７質量％）、ゲラニルプロピオネート（６．３８質量％）、プレニルアセテート（１．５２質量％）、アリルフェノキシアセテート（０．６０質量％）、ジメチルベンジルカルビニルブチレート（０．９５質量％）、ネクタリル（８．５４質量）、ゲラニルアセテート（１１．１３質量％）、リリアール（１１．５１質量％）、シクラメンアルデヒド（３．０５質量％）、アミルサリチレート（１．３９質量％）、イソイースーパー（１．０６質量％）、γ−メチルイオノン（１．３４質量％）、アンブロキサン（０．１３質量％）、ハバノライド（０．３７質量％）、アニスアルデヒド（８．４６質量％）、ライムオキサイド（０．４１質量％）。
【００９７】
［各成分の割合］
本発明の液体洗浄剤組成物は、液体洗浄剤組成物の総質量１００質量％に対して、界面活性剤の合計量の割合が２５質量％以上である組成物である。界面活性剤の合計量とは、（Ａ）成分、（Ｃ）成分及び（Ｄ）成分を含むすべての界面活性剤を合計した量である。
本発明の液体洗浄剤組成物（１００質量％）中の界面活性剤の合計量の割合は、２５〜６０質量％が好ましく、４０〜５５質量％がより好ましい。
【００９８】
本発明の液体洗浄剤組成物（１００質量％）中の（Ａ）成分の含有量は、１５〜６０質量％が好ましく、２５〜５５質量％がより好ましい。（Ａ）成分の含有量が下限値以上であれば、皮脂汚れに対する良好な洗浄力が得られる。（Ａ）成分の含有量が上限値以下であれば、経時に伴うゲル化が起こりにくくなる。
【００９９】
本発明の液体洗浄剤組成物（１００質量％）中の（Ｂ）成分の含有量は、０．５〜５質量％が好ましく、１〜４質量％がより好ましい。（Ｂ）成分の含有量が前記下限値以上であれば、液体が構造粘性（チキソトロピー性）を発現しやすく、機能付与成分の分散性が向上する。（Ｂ）成分の含有量が前記上限値以下であれば、液体洗浄剤組成物の粘度が高くなりすぎず、使用性に優れる。
【０１００】
液体洗浄剤組成物中の（Ｂ）成分に対する（Ａ）成分の質量比Ａ／Ｂは、１０〜２００が好ましく、１０〜１５０がより好ましく、１２〜１２０がさらに好ましい。
【０１０１】
界面活性剤の合計量（質量Ｍ）に対する（Ｂ）成分の質量比Ｂ／Ｍは、１／５００〜１／２０が好ましく、１／１００〜１／１０がより好ましく、１／５０〜１／１０がさらに好ましい。Ｂ／Ｍが前記範囲内であれば、ＴＩ値が充分に高くなりやすい。
【０１０２】
本発明の液体洗浄剤組成物（１００質量％）中の（Ｃ）成分の含有量は、０．１〜１０％質量％が好ましく、０．３〜７．０質量％がより好ましく、０．５〜５．０質量％がさらに好ましい。（Ｃ）成分の含有量が下限値以上であれば、液体が構造粘性（チキソトロピー性）を発現しやすく、機能付与成分の分散性が向上する。（Ｃ）成分の含有量が前記上限値以下であれば、液体洗浄剤組成物の粘度が高くなりすぎず、使用性に優れる。
【０１０３】
（Ｃ）成分に対する（Ｂ）成分の質量比Ｂ／Ｃは、０．１〜５０が好ましく、１〜１０がより好ましい。質量比Ｂ／Ｃが前記下限値以上であれば、液体が構造粘性（チキソトロピー性）を発現しやすく、機能付与成分の分散性が向上する。質量比Ｂ／Ｃが前記上限値以下であれば、液体洗浄剤組成物の粘度が高くなりすぎず、使用性に優れる。
【０１０４】
界面活性剤の合計量（質量Ｍ）に対する（Ｃ）成分の質量比Ｃ／Ｍは、１／１０００〜１／１０が好ましく、１／５００〜１／２００がより好ましい。Ｃ／Ｍが前記範囲であればと、ＴＩ値が充分に高くなりやすい。
【０１０５】
本発明の液体洗浄剤組成物が（Ｄ）成分を含有する場合、本発明の液体洗浄剤組成物（１００質量％）中の（Ｄ）成分の含有量は、５〜２０質量％が好ましく、６〜１０質量％がより好ましい。（Ｄ）成分の含有量が前記下限値以上であれば、洗浄性能が向上するうえ、被洗物にからっと乾燥した触感を与えやすい。（Ｄ）成分の含有量が上限値以下であれば、保存安定性が向上するうえ、被洗物にからっと乾燥した触感を与えやすい。
【０１０６】
本発明の液体洗浄剤組成物が（Ｅ）成分を含有する場合、本発明の液体洗浄剤組成物（１００質量％）中の（Ｅ）成分の含有量は、０．１〜５質量％が好ましく、０．２〜３質量％がより好ましい。（Ｅ）成分の含有量が前記下限値以上であれば、優れたすすぎ性が得られやすい。（Ｅ）成分の含有量が前記上限値を超えても、すすぎ性の効果は飽和し、それ以上には得られにくい。
【０１０７】
液体洗浄剤液体洗浄剤組成物（１００質量％）中の水の含有量は、０質量％超２０質量％以下が好ましく、１〜１８質量％がより好ましく、２〜１５質量％がさらに好ましく、３〜１０質量％が特に好ましく、３〜５質量％が最も好ましい。水の含有量が前記上限値以下であれば、本発明の効果が顕著に得られる。また、水の含有量が前記範囲内であれば、ゲル化が抑制され、液体洗浄剤組成物の流動性が維持されやすくなる。
【０１０８】
本発明の液体洗浄剤組成物が溶剤を含む場合、液体洗浄剤組成物（１００質量％）中の溶剤の含有量は、５〜３０質量％が好ましく、６〜２５質量％がより好ましく、７〜２０質量％がさらに好ましい。溶剤の含有量が前記下限値以上であれば、ゲル化が抑制され、液体洗浄剤組成物の流動性が維持されやすくなる。溶剤の含有量が前記上限値を超えても、それに見合う液流動性の改善効果は見られにくく、経済的にも不利になる。
【０１０９】
［物性］
本発明の液体洗浄剤組成物のｐＨは、４〜１０が好ましく、５〜９がより好ましく、６〜８がさらに好ましい。ｐＨが前記範囲内であれば、液体洗浄剤組成物の保存安定性がより良好に維持される。
液体洗浄剤組成物のｐＨとは、液体洗浄剤組成物を２５℃に調整し、ｐＨメーター等により測定される値を意味する。
【０１１０】
本発明の液体洗浄剤組成物の粘度ηＡは、１０００ｍＰａ・ｓ以下が好ましく、２００〜５００ｍＰａ・ｓがより好ましく、３００〜５００ｍＰａ・ｓがさらに好ましい。粘度ηＡが前記上限値以下であれば、液体洗浄剤組成物の流動性が維持されやすく、計量キャップ等による計量が容易になる。また、液体洗浄剤組成物を被洗物に直接塗布して洗浄する場合に、液体洗浄剤組成物の塗布作業が容易になる。粘度ηＡが前記下限値以上であれば、カプセル粒子等の機能付与成分の分散安定性に優れる。
なお、液体洗浄剤組成物の粘度ηＡとは、２５℃において、ブルックフィールド型粘度計を用いて、ローターの回転数を６０ｒｐｍに設定して測定を開始し、６０秒後に測定される値を意味する。
【０１１１】
本発明の液体洗浄剤組成物の下式（ＩＩ）で表されるチキソトロピーインデックス（ＴＩ値）は、２．０以上が好ましく、２．０〜４．０がより好ましく、２．０〜３．０がさらに好ましい。ＴＩ値が２．０以上であれば、優れたチキソトロピー性を有し、カプセル粒子等の機能付与成分の分散安定性に優れる。ＴＩ値が４．０以下であれば、液体洗浄剤組成物の流動性が損なわれにくい。
【０１１２】
ＴＩ値＝ηＢ／ηＡ  ・・・（ＩＩ）
ただし、式（ＩＩ）中、ηＢは、２５℃における液体洗浄剤組成物の粘度であって、ブルックフィールド型粘度計を用いて、ローターの回転数を６ｒｐｍに設定して測定を開始し、６００秒後に測定される値を意味する。
【０１１３】
ＴＩ値は、粘度の剪断速度（粘度計のローター回転速度）依存性（すなわち、チキソトロピー性）を示す数値である。粘度が剪断速度に依存しない水のようなニュートン流体では、ＴＩ値は１となる。ＴＩ値が１より大きいと、剪断力が小さくなるほど粘度が高くなり、チキソトロピー性を示す。
本発明の液体洗浄剤組成物のＴＩ値は、（Ｂ）成分の濃度、（Ｃ）成分の濃度、質量比Ｂ／Ｃ、質量比Ｂ／Ｍ、質量比Ｃ／Ｍ等によって調整できる。
【０１１４】
［製造方法］
本発明の液体洗浄剤組成物の製造方法は、特に限定されず、例えば、（Ａ）〜（Ｃ）成分、並びに、必要に応じて用いる（Ｄ）成分、（Ｅ）成分及び他の成分を溶媒に溶解し、所定のｐＨに調整する方法が挙げられる。
【０１１５】
［作用効果］
以上説明した本発明の液体洗浄剤組成物においては、（Ａ）成分に（Ｂ）成分及び（Ｃ）成分を組み合わせることで、超濃縮組成の配合においてもＴＩ値を充分に高くできるため、保存安定性に優れている。また、機能付与成分の分散性にも優れるため、カプセル香料をはじめ様々な機能付与成分の配合自由度が高い。
また、本発明の液体洗浄剤組成物は、低粘度を維持しつつ、ＴＩ値を充分に高めて優れた保存安定性と機能付与成分の分散性を実現できるため、使用性にも優れている。また、本発明の液体洗浄剤組成物は、洗浄力も高い。
【実施例】
【０１１６】
以下、実施例によって本発明を詳細に説明するが、本発明は以下の記載によっては限定されない。
［原料］
本実施例において使用した原料は以下のとおりである。
（（Ａ）成分）
Ａ１−１：ＭＥＥ、脂肪酸メチルエステルエトキシレート（脂肪酸の炭素数１６〜１８、ＥＯの平均付加モル数１５）、ライオンケミカル株式会社製、商品名「ＣＥＡＯ−９０」。
Ａ２−１：ＡＥ（１５）、ポリオキシエチレンアルキルエーテル（炭素数１２〜１４、ＥＯの平均付加モル数１５）、ライオンケミカル株式会社製、商品名「ＬＭＡＯ−９０」。
【０１１７】
Ａ２−２：炭素数１２〜１４の第１級アルコールに対して、１６モル相当のエチレンオキシドと、２モル相当のプロピレンオキシドをブロック付加したノニオン界面活性剤。該ノニオン界面活性剤は、以下の方法により合成した。
炭素数１２〜１４の第１級アルコールと、３０質量％ＮａＯＨ水溶液を耐圧型反応容器中に仕込み、容器内を窒素置換した。次に、温度１００℃、圧力２．０ｋＰａ以下で３０分間脱水した後、温度を１６０℃まで昇温し、エチレンオキシド（ガス状）を所定量に達するまで少量ずつ添加して反応させた。エチレンオキシドの添加終了後、３０分間熟成した。その後、温度を１５０℃とし、プロピレンオキシドを所定量に達するまで少量ずつ添加して反応させた。プロピレンオキシドの添加終了後、６０分間熟成した。
温度を１００℃以下まで冷却した後、反応物の１質量％水溶液のｐＨが約７になるように、７０質量％ｐ−トルエンスルホン酸を加えて中和し、炭素数１２〜１４の第１級アルコールに対して、１６モル相当のエチレンオキシドと、２モル相当のプロピレンオキシドをブロック付加したノニオン界面活性剤を得た。
【０１１８】
（（Ａ’）成分：比較対象）
Ａ’−１：ＡＥ（４）、ポリオキシエチレンアルキルエーテル（炭素数１２〜１４、ＥＯの平均付加モル数４）、日本乳化剤株式会社製、商品名「ニューコー  ３５０４−Ｃ」。
【０１１９】
（（Ｂ）成分）
Ｂ−１：アクリル酸アルキル、メタクリル酸アルキル、アクリル酸及びメタクリル酸の中から選ばれる２種類以上のモノマーからなる架橋型共重合体（Ｌｕｂｒｉｚｏｌ社製の商品名「Ｃａｒｂｏｐｏｌ  Ａｑｕａ３０」）。
Ｂ−２：アクリル酸アルキルとアクリル酸又はメタクリル酸のモノマーからなる架橋型共重合体（ＤＯＷ社製の商品名「ＡＣＵＳＯＬ  ８３０」）。
Ｂ−３：アクリル酸アルキル、メタクリル酸アルキル、アクリル酸及びメタクリル酸から選ばれる２種類以上のモノマーからなる共重合体（Ｌｕｂｒｉｚｏｌ社製の商品名「Ｎｏｖｅｔｈｉｘ  ＨＣ２００」）。
Ｂ−４：アクリル酸アルキル（Ｃ１〜Ｃ４及びＣ８）、メタクリル酸アルキル（Ｃ１〜Ｃ４及びＣ８）、アクリル酸及びメタクリル酸から選ばれる２種類以上のモノマーからなる架橋型アクリル酸共重合体（Ｌｕｂｒｉｚｏｌ社製の商品名「Ｃａｒｂｏｐｏｌ  Ａｑｕａ  ＳＦ−１」）。
【０１２０】
（（Ｂ’）成分：比較対象）
Ｂ’−１：ポリアクリル酸（日本触媒株式会社製、商品名「アクアリックＬ−ＤＬ」）。
【０１２１】
（（Ｃ）成分）
Ｃ１−１：ステアリン酸ジメチルアミノプロピルアミド（長鎖脂肪族アミドジアルキル３級アミン、ライオン・スペシャリティ・ケミカルズ株式会社製、商品名「リポミンＡＰＡ１６８−６５Ｅ」）。
Ｃ２−１：ＡＸ（ドデシルジメチルアミンオキシド、ライオン・スペシャリティ・ケミカルズ株式会社製、商品名「ＡＸ−ＣＳ」）。
Ｃ２−２：ＡＰＡＸ（ラウリン酸アミドプロピルジメチルアミンオキシド、一方社油脂工業株式会社製、商品名「カデナックスＡＰＡ−１２Ｗ」）。
【０１２２】
（（Ｃ’）成分：比較対象）
Ｃ’−１：Ｃ１６カチオン（塩化アルキル（炭素数１６）トリメチルアンモニウム、ライオン株式会社製、商品名「リポカード  １６−５０Ｅ」）。
【０１２３】
（（Ｄ）成分）
Ｄ−１：直鎖アルキルベンゼンスルホン酸（ＬＡＳ、ライオン社製、商品名：ライポンＬＳ−２００）。
Ｄ−２：椰子脂肪酸（日油社製）。
Ｄ−３：ポリオキシエチレンアルキルエーテル硫酸塩（ＡＥＳ（１）、新日本理化株式会社製、商品名：シノリン１１５０）。
【０１２４】
（（Ｅ）成分）
Ｅ−１：ＰＥ変性シリコーン（東レ・ダウコーニング社製、商品名「ポリエーテル変性シリコーンＣＦ１１８８Ｎ  ＲＰＳ−１２２」）。
【０１２５】
（他の成分）
ｐ−ＴＳＨ：ｐ−トルエンスルホン酸（協和発酵工業株式会社製）、
ＰＥＧ：ポリエチレングリコール（ライオンケミカル株式会社製、商品名「ＰＥＧ＃１０００−Ｌ６０」、
クエン酸：一方社油脂工業株式会社製、
安息香酸Ｎａ：安息香酸ナトリウム（東亜合成株式会社製）、
エタノール（日本アルコール販売株式会社製、商品名「特定アルコール９５度合成」）、
ＭＥＡ：モノエタノールアミン（株式会社日本触媒製）、
カプセル香料Ａ、
カプセル香料Ｂ、
カプセル香料Ｃ、
香料：特開２００２−１４６３９９号公報の表１１〜１８に記載の香料組成物Ａ、
水。
【０１２６】
［実施例１〜１９、比較例１〜６］
表１〜３に示す組成となるように所定量の配合成分を配合し、液体洗浄剤組成物を調製した。
具体的には、容量５００ｍＬのビーカーに水及び（Ｂ）〜（Ｅ）成分を入れ、マグネットスターラー（ＭＩＴＡＭＵＲＡ  ＫＯＧＹＯＩＮＣ．）で充分に撹拌した。次いで、他の成分の一部（安息香酸ナトリウム）を加えた後、２５℃でのｐＨが表１に示す値となるようにモノエタノールアミンを添加した。さらに、（Ａ）成分及び他の成分（上記他の成分以外）を加え、全体が表１の組成となるように水を加えて液体洗浄剤組成物を調製した。
【０１２７】
［粘度ηＡ及びＴＩ値の測定］
液体洗浄剤組成物（試料液）をＰＳ１１瓶に８０ｇ充填し、恒温槽にて２５℃に調整した。ブルックフィールド型粘度計を用い、恒温にした試料液をセットした。はじめにローターの回転数を６ｒｐｍに設定し、６００秒後の粘度ηＢを測定した。次に、回転数を６０ｒｐｍに設定し、６０秒後の粘度ηＡを測定した。これら粘度ηＡ及び粘度ηＢからＴＩ値（＝ηＢ／ηＡ）を算出し、下記評価基準に従って評価した。
（評価基準）
◎：粘度ηＡが５００ｍＰａ・ｓ以下であり、ＴＩ値が２．０以上である。
○：粘度ηＡが５００ｍＰａ・ｓ超１０００ｍＰａ・ｓ以下であり、ＴＩ値が２．０以上である。
×：粘度ηＡが１０００ｍＰａ・ｓ超、及び／又は、ＴＩ値が２．０未満である。
【０１２８】
［保存安定性］
広口規格びん（ＰＳ−Ｎｏ６瓶）に液体洗浄剤組成物を３０ｇ充填し、−５℃の恒温槽に１ヶ月保存した後、目視確認し、下記評価基準に従って保存安定性を評価した。
（評価基準）
◎：透明であり、−５℃の環境下においても流動性がある。
○：透明であり、また−５℃の環境下では流動性がないものの、室温に戻すと流動性があり実用上問題がない。
×：沈殿又は浮遊物がある。
【０１２９】
［皮脂洗浄力］
汚垢布として、顔や首周りの垢汚れを綿布に擦り付けて作製した「顔垢布」を使用した。洗浄液は、水１５Ｌに対して、液体洗浄剤組成物６ｍＬを分散・溶解して調製した。
洗浄試験器としてＴｅｒｇ−Ｏ−ｍｅｔｅｒ（ＵＮＩＴＥＤ  ＳＴＡＴＥＳ  ＴＥＳＴＩＮＧ社製）を用い、顔垢布１０枚と、洗浄メリヤス布と、前記洗濯液とを該洗浄試験器に入れ、浴比３０倍に合わせて、１２０ｒｐｍ、１５℃で１０分間洗浄した。次に、二槽式洗濯機（三菱電機社製、品番：ＣＷ−Ｃ３０Ａ１−Ｈ１）に移し、１分間脱水後、水道水（１５℃、４゜ＤＨ）３０Ｌ中で３分間濯ぎ、風乾した。垢汚れを付けなかった綿布である未汚れ布、洗浄前の汚垢布及び洗浄後の汚垢布について、それぞれ反射率を日本電色社製の色差計（製品名：ＳＥ２００型）で測定し、洗浄率（％）を以下の式で算出した。汚垢布１０枚について洗浄率（％）を算出し、その平均値を用いて、下記基準に基づいて皮脂洗浄力を評価した。
洗浄率（％）＝（洗浄前の汚垢布のＫ／Ｓ−洗浄後の汚垢布のＫ／Ｓ）／（洗浄前の汚垢布のＫ／Ｓ−未汚れ布のＫ／Ｓ）×１００
ただし、Ｋ／Ｓは式：Ｋ／Ｓ＝（１−Ｒ／１００）２／（２Ｒ／１００）で求められる値であり、Ｒは反射率（％）である。
（評価基準）
◎：洗浄率が７０％以上である。
○：洗浄率が６０％以上７０％未満である。
×：洗浄率が６０％未満である。
【０１３０】
［分散性］
広口規格瓶（ＰＳ−Ｎｏ６瓶）に液体洗浄剤組成物を３０ｇ充填し、これにビーズ（ＴＯＳＨＩＫＩ  ＰＩＧＭＥＮＴ．ＣＯ．ＬＴＤ製、「ＰＦＬ−ＲＥＤ  ７１５５Ｔ  Ｌｏｔ．０３０８」）を０．５ｇ加えて分散させた。２５℃の恒温槽に６０日保存した。保存期間中は１日毎に恒温槽から瓶を取り出して液体洗浄剤組成物中のビーズの分散状態を目視確認し、下記評価基準に従って分散性を評価した。
（評価基準）
◎：６０日間ビーズが液体洗浄剤組成物中に均一に分散している。
○：３０〜５９日間ビーズが液体洗浄剤組成物中に均一に分散している。
×：３０日未満でビーズが浮遊又は沈降している。
【０１３１】
実施例及び比較例における各成分の組成と評価結果を表１〜３に示す。
なお、表１〜３におけるＭＥＡの含有量の「適量」とは、液体洗浄剤組成物のｐＨを７．５にするのに要した量である。水の含有量の「バランス」とは、液体洗浄剤組成物全体で１００質量％とするのに必要とした量である。
【０１３２】
【表１】
2016199748.tif 000009
【０１３３】
【表２】
2016199748.tif 000010
【０１３４】
【表３】
2016199748.tif 000011
【０１３５】
表１〜３に示すように、（Ａ）〜（Ｃ）成分を含有する実施例１〜１９の液体洗浄剤組成物は、低粘度で使用性に優れ、また保存安定性及び分散性にも優れており、洗浄力も高かった。
（Ａ）〜（Ｃ）成分のいずれかを含まない比較例１〜６の液体洗浄剤組成物は、高い洗浄力、低粘度による使用性、保存安定性及び分散性を兼ね備えていなかった。